(57)【要約】【課題】複数の内容物を収納し、その一部を取り出した残りを再びカートンと共に保管するときに、カートンが嵩張らず、また、保管中や取扱中に、収納する内容物がはみ出したり、落ちたりすることがない減容可能なカートンを提供する。【解決手段】外観が縦長の長方体状のカートンであり、内側に複数の内容物を収納し、使用するときに、裏面板の上端部の横方向のほぼ中央位置に設けられた開け口片部を押し破って、開け口片部を外側天板に貼着したまま、外側天板と内側天板と左右両側のフラップを開口して収納する内容物を取り出したのち、ジッパーとミシン目線によって裏面板の上方部分を切り離し、正面板の裏面に左右の側面板を折り畳み、正面板と側面板を縦方向の中央位置で裏面板の表面へ折り畳み、裏面板の下方の差込み係止部に、外側天板の係止片部を差し込んで係止する。【選択図】図１
2008247442.tif 000002
【特許請求の範囲】
【請求項１】
ブランクを折り畳んで形成する外観が縦長の長方体状のカートンであって、内側に複数の個包装する内容物を収納し、使用するときに、裏面板の上端部の横方向の中央位置に設けられた開け口片部を押し破って、前記開け口片部を外側天板に貼着した状態で内側天板を部分的に破断して、前記外側天板と前記内側天板と左右の側面板上端に連設するフラップを開口し、収納する前記内容物の一部を取り出したのちに、前記裏面板の縦方向の中央位置から上端に至る左右端に設けられた縦のジッパーと、前記裏面板の縦方向の中央位置に設けられた左右両端にわたる横のミシン目線とによって、前記裏面板の上方部分を切り離し、左右の側面板を縦方向の中央位置の上側に設けられた横と斜めの折り目線とによって、前記正面板の裏面に前記左右の側面板を折り畳み、前記正面板と前記左右の側面板とを重ね合せて縦方向の中央位置で前記裏面板の表面に折り畳み、前記裏面板の下方の所定位置に設けられた差込み係止部に、前記外側天板の所定位置に設けられている係止片部を差し込んで係止することを特徴とする減容可能なカートン。
【請求項２】
ブランクを折り畳んで形成する外観が縦長の長方体状のカートンであって、内側に複数の個包装する内容物を収納し、使用するときに、裏面板の上端部の横方向の中央位置に設けられた開け口片部を押し破って、前記開け口片部と内側天板を外側天板の裏面に貼着した状態で、前記開け口片部の左右両側の前記裏面板の上端に設けられた横のジッパーを破断して前記内側天板を前記裏面板から分離して、前記外側天板と前記内側天板と左右の側面板上端に連設するフラップを開口し、収納する前記内容物の一部を取り出したのちに、前記裏面板の縦方向の中央位置に設けられた左右両端にわたる横のミシン目線と、前記左右の側面板の縦方向の中央位置の横の折り目線より上方に設けられた下端を前記横の折り目線の後端と接続し上端を前記裏面板の端に接続するミシン目線と、前記ミシン目線の上端に下端を接続し上端が前記裏面板の上端に至る前記裏面板の左右両側に設けられた縦のジッパーと、前記右の側面板のミシン目線に対応して設けられた貼着板の斜めのミシン線とによって、前記裏面板の上方部分と前記左右両側の側面板及び貼着板を部分的に切り離し、正面板の縦方向の中央位置より上方に設けられた左右両端の縦の折り目線と左右の側面板の縦方向の中央位置より斜めに設けられたミシン目線によって、前記左右の側面板を前記正面板の裏面に重ねるように折り畳み、かつ、前記左の側面板、正面板、右の側面板の縦方向の中央位置に設けられた横の折り目線と、前記正面板の前記横の折り目線の所定上方位置に平行に設けられた横の折り目線とによって、前記正面板と左右の側面板の縦方向の中央位置から上方部分を前記裏面板の表面に重ねるように折り畳み、前記裏面板の左右両側下端部に設けられた差込み係止部に、前記正面板の左右両側上端部と左右の側面板上端に連設するフラップを差し込んで係止することを特徴とする減容可能なカートン。
【請求項３】
ブランクを折り畳んで形成する外観が縦長の長方体状のカートンであって、内側に複数の個包装する内容物を収納し、使用するときに、裏面板の上端部の横方向の中央位置に設けられた開け口片部を押し破って、前記開け口片部と内側天板を外側天板の裏面に貼着した状態で、前記開け口片部の左右両側の前記裏面板の上端に設けられた横のジッパーを破断して前記内側天板を前記裏面板から分離して、前記外側天板と前記内側天板と左右の側面板上端に連設するフラップを開口し、収納する前記内容物の一部を取り出したのちに、前記左右の側面板の縦方向の中央位置の横の折り目線より上方に設けられた下端を前記横の折り目線の後端と接続し上端を前記裏面板の端に接続するミシン目線と、前記右の側面板のミシン目線に対応して設けられた貼着板の斜めのミシン線と、前記裏面板の下方所定位置に設けられた上向きのミシン目線と、該ミシン目線の両端と接続し前記左右側面板のミシン目線の下端に接続する前記裏面板の左右両側に設けられた縦のジッパーと、前記左右側面板のミシン目線の上端に接続し前記裏面板の上端の左右端に至る縦のジッパーとによって、前記裏面板のミシン目線より上方の裏面板を切り離し、正面板の縦方向の中央位置より上方に設けられた左右両端の縦の折り目線と左右の側面板の縦方向の中央位置より
斜めに設けられたミシン目線によって、前記左右の側面板を前記正面板の裏面に重ねるように折り畳み、かつ、前記貼着板、裏面板、左の側面板、正面板、左の側面板の縦方向の中央位置に設けられた横の折り目線と、前記正面板の前記横の折り目線の所定上方位置に平行に設けられた横の折り目線とによって、前記正面板と左右の側面板の縦方向の中央位置から上方部分を前記裏面板の表面に重ねるように折り畳み、前記裏面板の下端部に設けられた差込み係止部に、前記正面板の上端部と左右の側面板上端に連設するフラップを差し込んで係止することを特徴とする減容可能なカートン。
【発明の詳細な説明】
【技術分野】
【０００１】
本発明は、使用したのちに、収納されていた商品の半分又は一部を、そのまま収納した状態で、カートンを減容させて保管することができる減容可能なカートンに関するものである。
【背景技術】
【０００２】
従来、例えばカレーやシチューなどの個包装されたルウを二個収納するカートンでは、一個取り出したのちに、残りの一個をカートン内に収納したままで冷蔵庫などに保存する場合に、カートンを、余分なスペースがあるままの大きさで保管したり、余分なスペースを適当に折り畳んだり、又は鋏で切り取って保管していた。
【発明の開示】
【発明が解決しようとする課題】
【０００３】
しかしながら、上述した内容物を一個取り出した状態のカートンをそのまま保管することは、無駄な保管スペースをとり、また、余分なスペースを折り畳んだカートンは、保管中に折り畳んだ部分が元にもどたり、また、余分なスペースを鋏で切り取ったカートンは、保管中や取り扱うときに、切り口から収納する内容物がはみ出したり、落ちたりすることがあった。
【０００４】
本発明は、上述の従来のカートンの問題点を解決したものであり、複数の個包装された内容物を収納し、その一部を取り出した残りを再びカートンと共に保管するときに、カートンが嵩張らず、また、保管中や取り扱うときに、収納する内容物がはみ出したり、落ちたりすることがない減容可能なカートンを提供するものである。
【課題を解決するための手段】
【０００５】
すなわち、本発明の第１の発明は、ブランクを折り畳んで形成する外観が縦長の長方形状のカートンであって、内側に複数の個包装する内容物を収納し、使用するときに、裏面板の上端部の横方向の中央位置に設けられた開け口片部を押し破って、前記開け口片部を外側天板に貼着した状態で内側天板を部分的に破断して、前記外側天板と前記内側天板と左右の側面板上端に連設するフラップを開口し、収納する上方の前記内容物を取り出したのちに、前記裏面板の縦方向の中央位置から上端に至る左右端に設けられた縦のジッパーと、前記裏面板の縦方向の中央位置に設けられた左右両端にわたる横のミシン目線とによって、前記裏面板の上方部分を切り離し、左右の側面板を縦方向の中央位置の上側に設けられた横と斜めの折り目線とによって、前記正面板の裏面に前記左右の側面板を折り畳み、前記正面板と前記左右の側面板とを重ね合せて縦方向の中央位置で前記裏面板の表面に折り畳み、前記裏面板の下方の所定位置に設けられた差込み係止部に、前記外側天板の所定位置に設けられている係止片部を差し込んで係止することを特徴とする減容可能なカートンである。
【０００６】
次に、本発明の第２の発明は、ブランクを折り畳んで形成する外観が縦長の長方形状のカートンであって、内側に複数の個包装する内容物を収納し、使用するときに、裏面板の上端部の横方向の中央位置に設けられた開け口片部を押し破って、前記開け口片部と内側天板を外側天板の裏面に貼着した状態で、前記開け口片部の左右両側の前記裏面板の上端に設けられた横のジッパーを破断して前記内側天板を前記裏面板から分離して、前記外側天板と前記内側天板と左右の側面板上端に連設するフラップを開口し、収納する上方の前記内容物を取り出したのちに、前記裏面板の縦方向の中央位置に設けられた左右両端にわたる横のミシン目線と、前記左右の側面板の縦方向の中央位置の横の折り目線より上方に
設けられた下端を前記横の折り目線の後端と接続し上端を前記裏面板の端に接続するミシン目線と、前記ミシン目線の上端に下端を接続し上端が前記裏面板の上端に至る前記裏面板の左右両側に設けられた縦のジッパーと、前記右の側面板のミシン目線に対応して設けられた貼着板の斜めのミシン線とによって、前記裏面板の上方部分と前記左右両側の側面板及び貼着板を部分的に切り離し、正面板の縦方向の中央位置より上方に設けられた左右両端の縦の折り目線と左右の側面板の縦方向の中央位置より斜めに設けられたミシン目線によって、前記左右の側面板を前記正面板の裏面に重ねるように折り畳み、かつ、前記左の側面板、正面板、右の側面板の縦方向の中央位置に設けられた横の折り目線と、前記正面板の前記横の折り目線の所定上方位置に平行に設けられた横の折り目線とによって、前記正面板と左右の側面板の縦方向の中央位置から上方部分を前記裏面板の表面に重ねるように折り畳み、前記裏面板の左右両側下端部に設けられた差込み係止部に、前記正面板の左右両側上端部と左右の側面板上端に連設するフラップを差し込んで係止することを特徴とする減容可能なカートンである。
【０００７】
そして、本発明の第３の発明は、ブランクを折り畳んで形成する外観が縦長の長方形状のカートンであって、内側に複数の個包装する内容物を収納し、使用するときに、裏面板の上端部の横方向の中央位置に設けられた開け口片部を押し破って、前記開け口片部と内側天板を外側天板の裏面に貼着した状態で、前記開け口片部の左右両側の前記裏面板の上端に設けられた横のジッパーを破断して前記内側天板を前記裏面板から分離して、前記外側天板と前記内側天板と左右の側面板上端に連設するフラップを開口し、収納する上方の前記内容物を取り出したのちに、前記左右の側面板の縦方向の中央位置の横の折り目線より上方に設けられた下端を前記横の折り目線の後端と接続し上端を前記裏面板の端に接続するミシン目線と、前記右の側面板のミシン目線に対応して設けられた貼着板の斜めのミシン線と、前記裏面板の下方所定位置に設けられた上向きのミシン目線と、このミシン目線の両端と接続し前記左右側面板のミシン目線の下端に接続する前記裏面板の左右両側に設けられた縦のジッパーと、前記左右側面板の鉤状のジッパーの上端に接続し前記裏面板の上端の左右端に至る縦のジッパーとによって、前記裏面板のミシン目線より上方の裏面板を切り離し、正面板の縦方向の中央位置より上方に設けられた左右両端の縦の折り目線と左右の側面板の縦方向の中央位置より斜めに設けられたミシン目線によって、前記左右の側面板を前記正面板の裏面に重ねるように折り畳み、かつ、前記貼着板、裏面板、左の側面板、正面板、左の側面板の縦方向の中央位置に設けられた横の折り目線と、前記正面板の前記横の折り目線の所定上方位置に平行に設けられた横の折り目線とによって、前記正面板と左右の側面板の縦方向の中央位置から上方部分を前記裏面板の表面に重ねるように折り畳み、前記裏面板の下端部に設けられた差込み係止部に、前記正面板の上端部と左右の側面板上端に連設するフラップを差し込んで係止することを特徴とする減容可能なカートンである。
【発明の効果】
【０００８】
第１の発明の減容可能なカートンは、個包装する複数の内容物を収納し、使用するときに、裏面板の上端部の横方向の中央位置にミシン目線で設けられた開け口片部を指で押し破って、開け口片部を外側天板に貼着した状態で開け口片部を外側天板に貼着した状態で内側天板を部分的に破断して、外側天板と内側天板と左右両側のフラップを開口し、収納する上方の内容物を取り出し、残りの内容物を収納するカートンを冷蔵庫などに保管するときに、裏面板の縦方向の中央位置から上端に至る左右端に設けられた縦のジッパーと、裏面板の縦方向の中央位置に設けられた左右両端にわたる横のミシン目線とによって、裏面板の上方部分を切り離し、左右の側面板を縦方向の中央位置の上側に設けられた横と斜めの折り目線によって、正面板の裏面に左右の側面板を折り畳み、正面板と左右の側面板とを重ね合せて縦方向の中央位置で裏面板の表面に折り畳み、裏面板の下方の所定位置に設けられた差込み係止部に、外側天板の所定位置に設けられている係止片部を差し込んで係止することができる。このため、カートンが嵩張らず、また、保管中や取り扱うときに
、収納する内容物がカートンからはみ出したり落ちたりすることが回避される。
【０００９】
また、第２の発明の減容可能なカートンは、個包装する複数の内容物を収納し、使用するときに、裏面板の上端部の横方向の中央位置にミシン目線で設けられた開け口片部を指で押し破って、開け口片部と内側天板を外側天板に貼着した状態で、裏面板の上端に設けられているジッパーを破断して内側天板を裏面板から分離して、外側天板と内側天板と左右両側のフラップを開口し、収納する上方の内容物を取り出し、残りの内容物を収納するカートンを冷蔵庫などに保管するときに、裏面板の縦方向の中央位置に設けられた左右両端にわたる横のミシン目線と、左右の側面板の縦方向の中央位置の横の折り目線より上方に設けられた下端を横の折り目線の後端と接続し上端を前記裏面板の端に接続するミシン目線と、ミシン目線の上端に下端を接続し上端が裏面板の上端に至る裏面板の左右両側に設けられた縦のジッパーと、右の側面板のミシン目線に対応して設けられた貼着板の斜めのミシン線とによって、裏面板の上方部分と左右両側の側面板及び貼着板を部分的に切り離し、正面板の縦方向の中央位置より上方に設けられた左右両端の縦の折り目線と左右の側面板の縦方向の中央位置より斜めに設けられたミシン目線によって、左右の側面板を正面板の裏面に重ねるように折り畳み、貼着板、裏面板、左の側面板、正面板、右の側面板の縦方向の中央位置に設けられた横の折り目線と、正面板の横の折り目線の所定上方位置に平行に設けられた横の折り目線とによって、正面板と左右の側面板の縦方向の中央位置から上方部分を裏面板表面に重ねるように折り畳み、裏面板の左右両側下端部に設けられた差込み係止部に、正面板の左右両側上端部と左右の側面板上端に連設するフラップを差し込んで係止することができる。このため、カートンが嵩張らず、また、保管中や取り扱うときに、収納する内容物がカートンからはみ出したり落ちたりすることが回避される。
【００１０】
また、第３の発明の減容可能なカートンは、個包装する複数の内容物を収納し、使用するときに、裏面板の上端部の横方向の中央位置にミシン目線で設けられた開け口片部を指で押し破って、開け口片部と内側天板を外側天板に貼着した状態で、裏面板の上端に設けられているジッパーを破断して内側天板を裏面板から分離して、外側天板と内側天板と左右両側のフラップを開口し、収納する上方の内容物を取り出し、残りの内容物を収納するカートンを冷蔵庫などに保管するときに、左右の側面板の縦方向の中央位置の横の折り目線より上方に設けられた下端を横の折り目線の後端と接続し上端を前記裏面板の端に接続するミシン目線と、裏面板の下方所定位置に設けられた上向きのミシン目線と、このミシン目線の両端と接続し左右側面板のミシン目線の下端に接続する裏面板の左右両側に設けられた縦のジッパーと、左右側面板のミシン目線の上端に接続し裏面板の上端の左右端に至る縦のジッパーと、右の側面板のミシン目線に対応して設けられた貼着板の斜めのミシン線とによって、裏面板のミシン目線より上方の裏面板を切り離し、正面板の縦方向の中央位置より上方に設けられた左右両端の縦の折り目線と左右の側面板の縦方向の中央位置より斜めに設けられたミシン目線によって、左右の側面板を正面板の裏面に重ねるように折り畳み、貼着板、裏面板、左の側面板、正面板、右の側面板の縦方向の中央位置に設けられた横の折り目線と、正面板の横の折り目線の所定上方位置に平行に設けられた横の折り目線とによって、正面板と左右の側面板の縦方向の中央位置から上方部分を裏面板の表面に重ねるように折り畳み、裏面板の下端部に設けられた差込み係止部に、正面板の上端部と左右の側面板上端に連設するフラップを差し込んで係止することができる。このため、カートンが嵩張らず、また、保管中や取り扱うときに、収納する内容物がカートンからはみ出したり落ちたりすることが回避される。
【発明を実施するための最良の形態】
【００１１】
次に、本発明の減容可能なカートンの実施形態について、図を用いて詳細に説明する。
【００１２】
図１は、実施形態１のカートンの減容の過程を示す斜視図であり、図２は、そのカートンのブランクの展開平面図である。図３は、実施形態２のカートンの減容の過程を示す斜
視図であり、図４は、そのカートンのブランクの展開平面図である。図５は、実施形態３のカートンの減容の過程を示す斜視図であり、図６は、そのカートンのブランクの展開平面図である。
【００１３】
実施形態１のカートンは、図２に示すブランク（１００）を折り畳んで形成する図１（ａ）に示す外観が縦長の長方体状のカートン（１０）であり、複数の個包装された内容物を縦方向に収納するものである。使用するときには、図１（ａ）に示す裏面板（１４０）の上端部の横方向の中央位置に設けられた開け口片部（１４１）を指でミシン目線（１０２）を押し破り、そのまま正面板の前方側へ移動させて、図１（ｂ）に示すように、開け口片部（１４１）を外側天板（１６０）に貼着した状態で内側天板（１８０）を部分的に破断して外側天板（１６０）を開口し、次いで内側天板（１８０）と左右両側のフラップ（１１１，１３１）を開口して収納する上方の内容物を取り出すものである。そして、収納する下方の内容物を取り出す必要のなくそのまま再度保管する場合には、図１（ａ）に示す裏面板（１４０）の縦方向の中央位置から上端に至る左右端に設けられた縦のジッパー（１０４ａ，１０４ｂ）と、裏面板の縦方向の中央位置に設けられた左右両端にわたる横のミシン目（１０２）とによって、図１（ｂ）に示すように、裏面板（１４０）の上方部分を切り離し、図１（ｃ）に示すように、左右の側面板（１１０，１３０）を縦方向の中央位置の上側に設けられた複数の折り目線（１０１ａ，１０１ｋ，１０１ｍ，１０１ｈと１０１ｂ，１０１ｎ，１０１ｐ，１０１ｇ）によって、正面板の裏面に左右の側面板を折り畳み、図１（ｄ）に示すように、正面板（１２０）と左右の側面板（１１０は図示せず，１３０）とを重ね合せて縦方向の中央位置で裏面板（１４０）の表面に折り畳み、図１（ｃ）に示す裏面板（１４０）の下方の所定位置に設けられた差込み係止部（１４２ａ）に、外側天板（１６０）の所定位置に設けられている係止片部（１６１）を差し込んで係止するものである。なお、再度、カートンを開口するときは、開け口片部を引き上げて、係止片部を差込み係止部から抜いて開口するものである。
【００１４】
次に、実施形態１のカートンを組み立てるブランク（１００）は、カートンの使用目的に合わせた坪量の板紙からなり、図２に示すように、左の側面板（１１０）の右側に、縦の折り目線（１０１ａ）を介して正面板（１２０）を連設し、正面板（１２０）の右側に、縦の折り目線（１０１ｂ）を介して右の側面板（１３０）を連設し、右の側面板（１３０）の右側に、縦方向の中央位置から上方が縦のジッパー（１０４ａ）で下方が縦の折り目線（１０１ｃ）を介して裏面板（１４０）を連設し、裏面板（１４０）の右側に、縦方向の中央位置から上方が縦のジッパー（１０４ｂ）で下方が縦の折り目線（１０１ｄ）を介して貼着板（１５０）を連設し、左の側面板（１１０）の上端に、横の折り目線（１０１ｅ）を介してフラップ（１１１）を連設し、左の側面板（１１０）の下端に、横の折り目線（１０１ｆ）を介してフラップ（１１２）を連設し、正面板（１２０）の上端に横の折り目線（１０１ｅ）を介して外側天板（１６０）を連設し、正面板（１２０）の下端に、横の折り目線（１０１ｆ）を介して外側底板（１７０）を連設し、右の側面板（１３０）の上端に、横の折り目線（１０１ｅ）を介してフラップ（１３１）を連設し、右の側面板（１３０）の下端に、横の折り目線（１０１ｆ）を介してフラップ（１３２）を連設し、裏面板（１４０）の上端に、横の折り目線（１０１ｅ）を介して外側天板（１６０）より縦方向の幅が小さい内側天板（１８０）を連設し、裏面板（１４０）の下端に、横の折り目線（１０１ｆ）を介して外側底板（１７０）より縦方向の幅が小さい内側底板（１９０）を連設し、左の側面板（１１０）の縦方向の中央位置に横の折り目線（１０１ｈ）を設け、この横の折り目線の所定上方位置に横の折り目線（１０１ｋ）を設け、横の折り目線（１０１ｋ）の左端と横の折り目線（１０１ｈ）の右端を結ぶ斜めの折り目線（１０１ｍ）を設け、正面板（１２０）の上端に連接する外側天板（１６０）の中央位置に、下向きの弧状の切込み（１０３ａ）を設けて係止片部（１６１）を形成し、右の側面板（１３０）に、左の側面板の横の折り目線（１０１ｈ）、横の折り目線（１０１ｋ）、斜めの折り目線（１０１ｍ）に対応させて、横の折り目線（１０１ｇ）、横の折り目線（１０１ｎ）、斜めの折り目線（１０１ｐ）を設け、裏面板（１４０）の上端の横方向の中央位置に、下向きの弧状のミシン目線（１０２）を設けて開け口片部（１４１）を形成し、裏面板の縦方向の中央位置に、右の側面板（１３０）の横の折り目線（１０１ｇ）の右端に接続し左端から右端に至る横のミシン目線（１０２ｂ）を設け、裏面板の下方の位置に、差し込む横方向の切込み線（１０３ｂ）を設けて外側天板（１６０）の係止片部（１６１）を差込む係止部（１４２ａ）を形成し、貼着板（１５０）に、左の側面板の横の折り目線（１０１ｈ）、横の折り目線（１０１ｋ）、斜めの折り目線（１０１ｍ）に対応させて、横の折り目線（１０１ｊ）、横の折り目線（１０１ｑ）、斜めの折り目線（１０１ｒ）を設け、内側天板（１８０）の中央上端部に、外側天板（１６０）と重ね合わされたときに、外側天板の係止片部（１６１）が内側天板と重ならないように下向きの弧状の切欠き（１８１）を設けるものである。
【００１５】
なお、カートンの製箱においては、図２のプランク（１００）を縦の折り目線（１０１ａ，１０１ｂ，１０１ｃ，１０１ｄ）及びジッパー（１０４ａ，１０４ｂ）と横の折り目線（１０１ｅ，１０１ｆ）を山折りして折り畳み、左の側面板（１１０）の裏面と貼着板（１５０）の表面とを貼着し、外側天板（１６０）の裏面と内側天板（１８０）の表面とを、開口するときに、開け口片部（１４１）を外側天板（１６０）に貼着した状態で内側天板（１８０）を部分的に破断して開口できるように部分的に貼着し、外側底板（１７０）の裏面と内側底板（１９０）の表面を貼着するものである。また、必要に応じては、裏面板の上端に設ける折り目線の開け口片部の左右両側をミシン目にしてもよい。
【００１６】
次に、実施形態２のカートンは、図４に示すブランク（１００）を折り畳んで形成する図３（ａ）に示す外観が縦長の長方体状のカートン（１０）であり、複数の個包装された内容物を縦方向に収納するものである。使用するときには、図３（ａ）に示す裏面板（１４０）の上端部の横方向の中央位置に設けられた開け口片部（１４１）を指でミシン目線（１０２ａ）を押し破り、そのまま正面板の前方側へ移動させて、図３（ｂ）に示すように、開け口片部（１４１）と内側天板（１８０）を外側天板（１６０）に貼着した状態で内側天板（１８０）を、図３（ａ）に示す開け口片部（１４１）の左右両側のジッパー（１０４ｄ，１０４ｃ）を破断して外側天板（１６０）と内側天板（１８０）を開口し、次いで左右両側のフラップ（１１１，１３１）を開口して収納する上方の内容物を取り出すものである。そして、収納する下方の内容物を取り出す必要のなくそのまま再度保管する場合には、図３（ａ）に示す裏面板（１４０）の縦方向の中央位置に設けられた左右両端にわたる横のミシン目線（１０２ｂ）と、左右の側面板（１３０は図示せず，１１０）の縦方向の中央位置より上方に設けられた下端を横のミシン目線（１０２ｂ）と接続し上端を裏面板の端に接する略Ｖ字状のミシン目線（１０４ｋは図示せず，１０４ｇ）と、これら略Ｖ字状のミシン目線の上端に下端を接続し上端が裏面板（１４０）の上端に至る裏面板の左右両側に設けられた縦のジッパー（１０４ｅ，１０４ｆ）と、右の側面板（１３０）の略Ｖ字状のミシン目線（１０４ｇ）に対応して設けられた貼着板（１５０は図示せず）の斜めのミシン線（１０２ｆと１０２ｇは図示せず）とによって、図３（ｂ）に示すように、裏面板（１４０）の上方部分と左右両側の側面板（１１０，１３０は図示せず）及び貼着板（１５０は図示せず）を部分的に切り離し、そして、図３（ｃ）に示すように、正面板（１２０）の縦方向の中央位置より上方に設けられた左右両端の縦の折り目線（１０１ｂ，１０１ａ）と左右の側面板（１３０，１１０）の縦方向の中央位置より斜めに設けられたミシン目線（１０２ｄ，１０２ｅ）によって、左右の側面板を正面板の裏面に重ねるように折り畳み、貼着板、裏面板、左の側面板、正面板、右の側面板の縦方向の中央位置に設けられた横の折り目線（１０１ｎ）と、この正面板の横の折り目線の所定上方位置に平行に設けられた横の折り目線（１０１ｓ）とによって、正面板と左右の側面板の縦方向の中央位置から上方部分を裏面板表面に重ねるように折り畳み、図３（ｄ）に示すように、裏面板（１４０）の左右両側下端部に設けられた差込み係止部（１４２ｂ，１４２ｃ）に、正面板（１２０）の左右両側上端部と左右の側面板（１１０，１３０）の上端に
連設するフラップ（１１１，１３１）を差し込んで係止するものである。なお、再度、カートンを開口するときは、開け口片部を引き上げて差込み係止部から正面板を抜いて開口するものである。
【００１７】
次に、実施形態２のカートンを組み立てるブランク（１００）は、図４に示すように、貼着板（１５０）の右側に、上方が縦のジッパー（１０４ｆ）で下方が縦の折り目線（１０１ｄ）を介して裏面板（１４０）を連設し、裏面板（１４０）の右側に、上方が縦のジッパー（１０４ｅ）で下方が縦の折り目線（１０１ｃ）を介して左の側面板（１１０）を連設し、左の側面板（１１０）の右側に、縦の折り目線（１０１ｂ）を介して正面板（１２０）を連設し、正面板（１２０）の右側に、縦の折り目線（１０１ａ）を介して右の側面板（１３０）を連設し、左の側面板（１１０）の上端に横の折り目線（１０１ｅ）を介してフラップ（１１１）を連設し、左の側面板（１１０）の下端に、横の折り目線（１０１ｆ）を介してフラップ（１１２）を連設し、正面板（１２０）の上端に、横の折り目線（１０１ｅ）を介して外側天板（１６０）を連設し、正面板（１２０）の下端に、横の折り目線（１０１ｆ）を介して外側底板（１７０）を連設し、右の側面板（１３０）の上端に横の折り目線（１０１ｅ）を介してフラップ（１３１）を連設し、右の側面板（１３０）の下端に横の折り目線（１０１ｆ）を介してフラップ（１３２）を連設し、裏面板（１４０）の上端に、左側の横のジッパー（１０４ｄ）と中央の横の折り目線（１０１ｔ）と右側の横の折り目線（１０４ｃ）を介して外側天板（１６０）より縦方向の幅が小さい内側天板（１８０）を連設し、裏面板（１４０）の下端に横の折り目線（１０１ｆ）を介して外側底板（１７０）より縦方向の幅が小さい内側底板（１９０）を連設し、左の側面板（１３０）の縦方向の中央位置に横の折り目線（１０１ｇ）を設け、下端を折り目線（１０１ｇ）の左端に接続し上端を裏面板の右端の縦のジッパー（１０４ｅ）の下端に接続する上下対称形の略Ｖ字状のミシン目線（１０４ｋ）を設け、この略Ｖ字状のミシン目線（１０４ｋ）の下方中央位置から折り目線（１０１ｇ）の右端に接続する斜めのミシン目線（１０２ｄ）を設け、右の側面板（１３０）に、左の側面板（１１０）の横の折り目線（１０１ｇ）、略Ｖ字状のミシン目線（１０４ｋ）、斜めのミシン目線（１０２ｄ）に対応させて、横の折り目線（１０１ｈ）、略Ｖ字状のミシン目線（１０４ｇ）、斜めのミシン目線（１０２ｅ）を設け、正面板の縦方向の中央位置に、右の側面板（１３０）の横の折り目線（１０１ｇ）と右端に接続し左端から右端に至る横の折り目線（１０１ｎ）を設け、この横の折り目線（１０１ｎ）に平行させて上方に、左右の側面板（１１０，１３０）に設けた略Ｖ字状のミシン目線（１０４ｇ，１０４ｋ）の縦方向の中央位置と接続する横の折り目線（１０１ｓ）を設け、裏面板（１４０）の縦方向の中央位置に、左の側面板（１１０）の横の折り目線（１０１ｇ）の左端に接続し右端から左端に至る横のミシン目線（１０２ｂ）を設け、裏面板（１４０）の上端の横方向の中央位置に、下向きの弧状のミシン目線（１０２）を設けて開け口片部（１４１）を形成し、裏面板（１４０）の左右下端部に、半円弧状の切込み線（１０３ｃ，１０３ｄ）を設けて差込み係止部（１４２ｂ，１４２ｃ）を設け、貼着板（１５０）の縦方向の中央位置に、裏面板（１４０）の横のミシン目線（１０２ｂ）の左端に接続する横の折り目線（１０１ｊ）を設け、右の側面板（１３０）の略Ｖ字状のミシン目線（１０４ｇ）に対応させて、斜めの上下のミシン目（１０２ｆ，１０２ｇ）を設け、下方の斜めのミシン目（１０２ｇ）の上外端に切断し易くするためにノッチ（１０５）を設けるものである。なお、裏面板（１４０）の上端に設ける内側天板（１８０）は、正面板（１２０）の上端に設ける外側天板（１６０）より縦方向の幅が小さく、裏面板（１４０）の下端に設ける内側底板（１９０）は、正面板（１２０）の下端に設ける外側底板（１７０）より縦方向の幅が小さく設けるものである。
【００１８】
なお、カートンの製箱においては、図４のプランク（１００）を縦の折り目線（１０１ａ，１０１ｂ，１０１ｃ，１０１ｄ）及び縦のジッパー（１０４ｅ，１０４ｆ）と横の折り目線（１０１ｅ，１０１ｆ，１０１ｔ）と横のジッパー（１０４ｃ，１０４ｄ）を山折りして折り畳み、左の側面板（１１０）の裏面と貼着板（１５０）の表面とを貼着し、外
側天板（１６０）の裏面と内側天板（１８０）の表面とを貼着し、外側底板（１７０）の裏面と内側底板（１９０）の表面を貼着するものである。
【００１９】
次に、実施形態３のカートンは、図６に示すブランク（１００）を折り畳んで形成する図５（ａ）に示す外観が縦長の長方体状のカートン（１０）であり、複数の個包装された内容物を縦方向に収納するものである。使用するときには、図５（ａ）に示す裏面板（１４０）の上端部の横方向の中央位置に設けられた開け口片部（１４１）を指でミシン目線（１０２ａ）を押し破り、そのまま正面板の前方側へ移動させて、開け口片部（１４１）付きの内側天板（１８０）を外側天板（１６０）に貼着した状態で内側天板（１８０）を、図５（ａ）に示す開け口片部（１４１）の左右両側のジッパー（１０４ｄ，１０４ｃ）を破断して、図５（ｂ）に示す外側天板（１６０）と内側天板（１８０）を開口し、左右両側のフラップ（１３１，１１１）を開口して収納する上方の内容物を取り出すものである。そして、収納する下方の内容物を取り出す必要のなくそのまま再度保管する場合には、図５（ａ）に示す裏面板（１４０）の左右端の縦のジッパー（１０４ｅ，１０４ｊ，と１０４ｆと１０４ｋ）と、左右の側面板の略Ｖ字状のミシン目線（１０４ｈは図示せず，１０４ｇ）と、正面板（１４０）の下方の弧状のミシン目線（１０２ｃ）と、右の側面板（１１０）の略Ｖ字状のミシン目線（１０４ｇ）に対応して設けられた貼着板（１５０は図示せず）の斜めのミシン線（１０２ｆと１０２ｇは図示せず）とによって、図５（ｂ）に示すように、裏面板（１４０）の弧状のミシン目線（１０２ｃ）より上方部分と左右両側の側面板（１３０は図示せず，１１０）及び貼着板（１５０は図示せず）を部分的に切り離し、そして、図５（ｃ）に示すように、正面板（１２０）の縦方向の中央位置より上方に設けられた左右両端の縦の折り目線（１０１ｂ，１０１ａ）と左右の側面板（１３０，１１０）の縦方向の中央位置より斜めに設けられたミシン目線（１０２ｄ，１０２ｅ）によって、左右の側面板を正面板の裏面に重ねるように折り畳み、貼着板、裏面板、左の側面板、正面板、左の側面板の縦方向の中央位置に設けられた横の折り目線（１０１ｎ）と、この正面板の横の折り目線の所定上方位置に平行に設けられた横の折り目線（１０１ｓ）とによって、正面板と左右の側面板の縦方向の中央位置から上方部分を裏面板表面に重ねるように折り畳み、図５（ｄ）に示すように、裏面板（１４０）の下方の上端が上向き弧状の差込み係止部（１４２ｄ）に、正面板（１２０）の上端部と左右の側面板（１３０，１１０）の上端に連設するフラップ（１３１，１１１）を差し込んで係止するものである。なお、再度、カートンを開口するときは、差込み係止部（１４２ｄ）から正面板を抜いて開口するものである。
【００２０】
次に、実施形態３のカートンを組み立てるブランク（１００）は、図６に示すように、貼着板（１５０）の右側に、上方から順に縦のジッパー（１０４ｆ）、縦の折り目線（１０１ｄ）、縦のジッパー（１０４ｋ）、縦の折り目線（１０１ｖ）を介して裏面板（１４０）を連設し、裏面板（１４０）の右側に、上方から順に縦のジッパー（１０４ｅ）、縦の折り目線（１０１ｃ）、縦のジッパー（１０４ｊ）、縦の折り目線（１０１ｕ）を介して左の側面板（１１０）を連設し、左の側面板（１１０）の右側に、縦の折り目線（１０１ｂ）を介して正面板（１２０）を連設し、正面板（１２０）の右側に、縦の折り目線（１０１ａ）を介して右の側面板（１３０）を連設し、左の側面板（１１０）の上端に横の折り目線（１０１ｅ）を介してフラップ（１１１）を連設し、左の側面板（１１０）の下端に、横の折り目線（１０１ｆ）を介してフラップ（１１２）を連設し、正面板（１２０）の上端に、横の折り目線（１０１ｅ）を介して外側天板（１６０）を連設し、正面板（１２０）の下端に、横の折り目線（１０１ｆ）を介して外側底板（１７０）を連設し、右の側面板（１３０）の上端に横の折り目線（１０１ｅ）を介してフラップ（１３１）を連設し、右の側面板（１３０）の下端に横の折り目線（１０１ｆ）を介してフラップ（１３２）を連設し、裏面板（１４０）の上端に、左側の横のジッパー（１０４ｄ）と中央の横の折り目線（１０１ｔ）と右側の横の折り目線（１０４ｃ）を介して外側天板（１６０）より縦方向の幅が小さい内側天板（１８０）を連設し、裏面板（１４０）の下端に横の折り目線（１０１ｆ）を介して外側底板（１７０）より縦方向の幅が小さい内側底板（１９０）を連設し、左の側面板（１１０）の縦方向の中央位置に横の折り目線（１０１ｇ）を設け、下端を折り目線（１０１ｇ）の左端に接続し上端を裏面板の右端の縦のジッパー（１０４ｅ）の下端に接続する上下対称形の略Ｖ字状のミシン目線（１０４ｈ）を設け、この略Ｖ字状のミシン目線（１０４ｈ）の下方中央位置から折り目線（１０１ｇ）の右端に接続する斜めのミシン目線（１０２ｄ）を設け、右の側面板（１３０）に、左の側面板（１１０）の横の折り目線（１０１ｇ）、略Ｖ字状のミシン目線（１０４ｈ）、斜めのミシン目線（１０２ｄ）に対応させて、横の折り目線（１０１ｈ）、略Ｖ字状のミシン目線（１０４ｇ）、斜めのミシン目線（１０２ｅ）を設け、正面板の縦方向の中央位置に、左の側面板（１１０）の横の折り目線（１０１ｇ）の右端に接続し左端から右端に至る横の折り目線（１０１ｎ）を設け、この横の折り目線（１０１ｎ）に平行させて上方に、左右の側面板（１１０，１３０）に設けた略Ｖ字状のミシン目線（１０４ｇ，１０４ｋ）の縦方向の中央位置と接続する横の折り目線（１０１ｓ）を設け、裏面板（１４０）の上端の横方向の中央位置に、下向きの弧状のミシン目線（１０２ａ）を設けて開け口片部（１４１）を形成し、裏面板（１４０）の下方所定位置に左端から右端にわたる上向きの弧状のミシン目線（１０２ｃ）を設けて差込み係止部（１４２ｄ）を形成し、貼着板（１５０）の縦方向の中央位置に、裏面板（１４０）の横のミシン目線（１０２ｂ）の左端に接続する横の折り目線（１０１ｊ）を設け、右の側面板（１３０）の略Ｖ字状のミシン目線（１０４ｇ）に対応させて、斜めの上下のミシン目（１０２ｆ，１０２ｇ）を設け、下方の斜めのミシン目（１０２ｇ）の上外端に切断し易くするためにノッチ（１０５）を設けるものである。なお、裏面板（１４０）の上端に設ける内側天板（１８０）は、正面板（１２０）の上端に設ける外側天板（１６０）より縦方向の幅が小さく、裏面板（１４０）の下端に設ける内側底板（１９０）は、正面板（１２０）の下端に設ける外側底板（１７０）より縦方向の幅が小さく設けるものである。
【００２１】
なお、カートンの製箱においては、図６のプランク（１００）を縦の折り目線（１０１ａ，１０１ｂ，１０１ｃ，１０１ｄ）及び縦のジッパー（１０４ｅ，１０４ｆ，１０４ｋ，１０４ｊ）と横の折り目線（１０１ｅ，１０１ｆ，１０１ｔ）と横のジッパー（１０４ｃ，１０４ｄ）を山折りして折り畳み、左の側面板（１１０）の裏面と貼着板（１５０）の表面とを貼着し、外側天板（１６０）の裏面と内側天板（１８０）の表面とを貼着し、外側底板（１７０）の裏面と内側底板（１９０）の表面を貼着するものである。
【図面の簡単な説明】
【００２２】
【図１】実施形態１の減容可能なカートンの斜視図であり、（ａ）は、開封前の状態で、（ｂ）は、開封したときの状態を示し、（ｃ）は、使用したのちに、減容するため二つ折りして係止しようとする状態を示し、（ｄ）は、減容したカートンの外観を示す。
【図２】図１に示す減容可能なカートンのブランクの展開平面図である。
【図３】実施形態２のの減容可能なカートンの斜視図であり、（ａ）は、開封前の状態で、（ｂ）は、開封したときの状態を示し、（ｃ）は、使用したのちに、減容するため二つ折りして係止しようとする状態を示し、（ｄ）は、減容したカートンの外観を示す。
【図４】図３に示す減容可能なカートンのブランクの展開平面図である。
【図５】実施形態３の減容可能なカートンの斜視図であり、（ａ）は、開封前の状態で、（ｂ）は、開封したときの状態を示し、（ｃ）は、使用したのちに、減容するため二つ折りして係止しようとする状態を示し、（ｄ）は、減容したカートンの外観を示す。
【図６】図５に示す減容可能なカートンのブランクの展開平面図である。
【符号の説明】
【００２３】
１０……カートン
１００……ブランク
１０１……折り目線
１０２……ミシン目線
１０３……切込み線
１０４……ジッパー
１０５……ノッチ
１１０……左の側面板
１１１，１１２，１３１，１３２……フラップ
１２０……正面板
１３０……右の側面板
１４０……裏面板
１４１……開け口片部
１４２……差込み係止部
１５０……貼着板
１６０……外側天板
１６１……係止片部
１７０……外側底板
１８０……内側天板
１８１……切欠き
１９０……内側底板
【図１】
2008247442.tif 000003
【図２】
2008247442.tif 000004
【図３】
2008247442.tif 000005
【図４】
2008247442.tif 000006
【図５】
2008247442.tif 000007
【図６】
2008247442.tif 000008